(57)【要約】【課題】  パネル中央部だけでなく、目地部に沿う部分の断熱性能も優れ、断熱性能も低下しにくい断熱構造を提供する。【解決手段】  外部と連通する空隙を備えたコア部１０を気密性フィルム１１で覆ってあると共に、その気密性フィルムの内側を減圧状態で密封してある断熱パネル１の複数を、パネル端面どうしが互いに対向するように並べて、被断熱面Ａ側に取り付けてある断熱構造であって、断熱パネルとして、パネル外周に沿って段差部５を設けて、パネル厚さがパネル中央部よりも薄い外周断熱部６を形成してある断熱パネルを使用して、その断熱パネルの複数を、段差部どうしが目地部８を挟んで互いに対向するように並べて、被断熱面側に取り付けてあり、目地部を覆う目地用の断熱パネル９を、その目地部を挟む両側の段差部に亘って入り込むように設けてある。【選択図】        図２
2007032066.tif 000002
【特許請求の範囲】
【請求項１】
外部と連通する空隙を備えたコア部を気密性フィルムで覆ってあると共に、その気密性フィルムの内側を減圧状態で密封してある断熱パネルの複数を、パネル端面どうしが互いに対向するように並べて、被断熱面側に取り付けてある断熱構造であって、
前記断熱パネルとして、パネル外周に沿って段差部を設けて、パネル厚さがパネル中央部よりも薄い外周断熱部を形成してある断熱パネルを使用して、その断熱パネルの複数を、前記段差部どうしが目地部を挟んで互いに対向するように並べて、被断熱面側に取り付けてあり、
前記目地部を覆う目地用の前記断熱パネルを、その目地部を挟む両側の段差部に亘って入り込むように設けてある断熱構造。
【請求項２】
外部と連通する空隙を備えたコア部を気密性フィルムで覆ってあると共に、その気密性フィルムの内側を減圧状態で密封してある断熱パネルの複数を、パネル端面どうしが互いに対向するように並べて、被断熱面側に取り付けてある断熱構造であって、
前記断熱パネルとして、パネル外周に沿って一方のパネル面側に段差部を設けて、パネル厚さがパネル中央部よりも薄い外周断熱部を形成してある断熱パネルを使用して、その断熱パネルの複数を、前記段差部どうしが互いに入り込むように重ねて、前記被断熱面に取り付けてある断熱構造。
【請求項３】
請求項１又は２記載の断熱構造に使用する断熱パネルであって、
前記コア部を無機系材料で構成してある断熱パネル。
【請求項４】
請求項１又は２記載の断熱構造に使用する断熱パネルであって、
前記被断熱面側に向けて取り付ける取り付け面に、軟質樹脂層を設けてある断熱パネル。
【請求項５】
請求項１又は２記載の断熱構造に使用する断熱パネルであって、
前記コア部に亘って凹入する溝部をパネル面に形成してある断熱パネル。
【発明の詳細な説明】
【技術分野】
【０００１】
本発明は、外部と連通する空隙を備えたコア部を気密性フィルムで覆ってあると共に、その気密性フィルムの内側を減圧状態で密封してある断熱パネルの複数を、パネル端面どうしが互いに対向するように並べて、被断熱面側に取り付けてある断熱構造に関する。
【背景技術】
【０００２】
上記断熱構造に取り付けてある断熱パネルは、グラスウールなどから成るコア部を覆っている気密性フィルムの内側を減圧状態で密封する際に、コア部の端面に沿って、気密性フィルムどうしが上下に重なって密着している重なり部が横側方に向けて鍔状に突出するように形成されているので、その断熱パネルの複数をそのままパネル端面どうしが互いに対向するように並べて、被断熱面側に取り付けると、重なり部の始末が煩雑になる。
そこで、従来の断熱構造では、断熱パネルを発泡断熱材等に埋め込んで、重なり部をその発泡断熱材等で包み込んである、厚さが略一定で、端面がパネル厚さ方向の全幅に亘って略扁平な断熱パネル体を作成し、その断熱パネル体の複数を、端面どうしを突き合わせて、被断熱面側に取り付けている（周知慣用技術であり、先行技術文献情報を開示できない）。
【発明の開示】
【発明が解決しようとする課題】
【０００３】
上記従来の断熱構造では、断熱パネル体どうしの目地部の両側に沿って、重なり部を包み込んでいる発泡断熱材等からのみ成る断熱層、つまり、コア部を気密性フィルムで覆って、その内側を減圧状態で密封してある断熱性能が優れた断熱パネルに比べて、断熱性能が劣る断熱層が形成される欠点がある。
また、パネル厚さ方向の全幅に亘って略扁平な端面どうしを突き合わせて、パネル厚さ方向に沿って一連の目地部を形成してあるので、被断熱面側や断熱パネル体の膨張・収縮などによって、目地部にパネル厚さ方向に沿って一連の隙間が被断熱面側とパネル外面側とに亘って形成されると、この隙間を通して熱が出入りし易くなり、断熱性能が低下し易い欠点がある。
本発明は上記実情に鑑みてなされたものであって、パネル中央部だけでなく、目地部に沿う部分の断熱性能も優れ、断熱性能も低下しにくい断熱構造を提供することを目的とする。
【課題を解決するための手段】
【０００４】
本発明の第１特徴構成は、外部と連通する空隙を備えたコア部を気密性フィルムで覆ってあると共に、その気密性フィルムの内側を減圧状態で密封してある断熱パネルの複数を、パネル端面どうしが互いに対向するように並べて、被断熱面側に取り付けてある断熱構造であって、前記断熱パネルとして、パネル外周に沿って段差部を設けて、パネル厚さがパネル中央部よりも薄い外周断熱部を形成してある断熱パネルを使用して、その断熱パネルの複数を、前記段差部どうしが目地部を挟んで互いに対向するように並べて、被断熱面側に取り付けてあり、前記目地部を覆う目地用の前記断熱パネルを、その目地部を挟む両側の段差部に亘って入り込むように設けてある点にある。
【０００５】
〔作用及び効果〕
コア部を気密性フィルムで覆って、その内側を減圧状態で密封してある断熱性能が優れた断熱パネルとして、パネル外周に沿って段差部を設けて、パネル厚さがパネル中央部よりも薄い外周断熱部を形成してある断熱パネルを使用して、その断熱パネルの複数を、段差部どうしが目地部を挟んで互いに対向するように並べて、被断熱面側に取り付けてあり、目地部を覆う目地用の断熱パネル、つまり、コア部を気密性フィルムで覆って、その内側を減圧状態で密封してある断熱性能が優れた目地用の断熱パネルを、その目地部を挟む両側の段差部に亘って入り込むように設けてあるので、断熱パネルどうしの目地部をパネル厚さ方向に沿ってジグザグ状に形成できる。
従って、パネル中央部だけでなく、目地部に沿う部分の断熱性能も優れているとともに、目地部をパネル厚さ方向に沿ってジグザグ状に形成できるので、目地部におけるパネルどうしの対向面積が広く、被断熱面側や断熱パネル体の膨張・収縮などによって、目地部にパネル厚さ方向に沿って一連の隙間が被断熱面側とパネル外面側とに亘って形成されるおそれも少なく、断熱性能が低下しにくい。
【０００６】
本発明の第２特徴構成は、外部と連通する空隙を備えたコア部を気密性フィルムで覆ってあると共に、その気密性フィルムの内側を減圧状態で密封してある断熱パネルの複数を、パネル端面どうしが互いに対向するように並べて、被断熱面側に取り付けてある断熱構造であって、前記断熱パネルとして、パネル外周に沿って一方のパネル面側に段差部を設けて、パネル厚さがパネル中央部よりも薄い外周断熱部を形成してある断熱パネルを使用して、その断熱パネルの複数を、前記段差部どうしが互いに入り込むように重ねて、前記被断熱面に取り付けてある点にある。
【０００７】
〔作用及び効果〕
コア部を気密性フィルムで覆って、その内側を減圧状態で密封してある断熱性能が優れた断熱パネルとして、パネル外周に沿って一方のパネル面側に段差部を設けて、パネル厚さがパネル中央部よりも薄い外周断熱部を形成してある断熱パネルを使用して、その断熱パネルの複数を、段差部どうしが互いに入り込むように重ねて、被断熱面に取り付けてあるので、目地部に入り込ませる目地用の別の断熱パネルを特に設けることなく、断熱パネルどうしの目地部をパネル厚さ方向に沿ってジグザグ状に形成できる。
従って、パネル中央部だけでなく、目地部に沿う部分の断熱性能も優れているとともに、目地部をパネル厚さ方向に沿ってジグザグ状に形成できるので、目地部におけるパネルどうしの対向面積が広く、被断熱面側や断熱パネル体の膨張・収縮などによって、目地部にパネル厚さ方向に沿って一連の隙間が被断熱面側とパネル外面側とに亘って形成されるおそれも少なく、断熱性能が低下しにくい。
【０００８】
本発明の第３特徴構成は、請求項１又は２記載の断熱構造に使用する断熱パネルであって、前記コア部を無機系材料で構成してある点にある。
【０００９】
〔作用及び効果〕
コア部を無機系材料で構成してあるので、減圧度を低下させる分解ガスなどが発生するおそれがなく、分解ガスなどが発生し易いウレタンなどの有機系材料で構成してある場合に比べて、断熱性能が低下しにくい。
【００１０】
本発明の第４特徴構成は、請求項１又は２記載の断熱構造に使用する断熱パネルであって、前記被断熱面側に向けて取り付ける取り付け面に、軟質樹脂層を設けてある点にある。
【００１１】
〔作用及び効果〕
被断熱面側に向けて取り付ける取り付け面に、軟質樹脂層を設けてあるので、断熱パネルの取り付け面側の破損をその軟質樹脂層で防止できると共に、断熱パネルと被断熱面側との間の熱対流を防止できるように、断熱パネルを被断熱面側の形状に沿わせて隙間ができないように密着させて取り付け易い。
【００１２】
本発明の第５特徴構成は、請求項１又は２記載の断熱構造に使用する断熱パネルであって、前記コア部に亘って凹入する溝部をパネル面に形成してある点にある。
【００１３】
〔作用及び効果〕
コア部に亘って凹入する溝部をパネル面に形成してあるので、被断熱面側の形状に沿って変形させ易い。
【発明を実施するための最良の形態】
【００１４】
以下に本発明の実施の形態を図面に基づいて説明する。
〔第１実施形態〕
図１，図２は、矩形平板状の主断熱パネル１の複数を、パネル端面どうしが互いに対向するように並べて、略扁平な被断熱面Ａ側に取り付けてある本発明による断熱構造を示している。
【００１５】
前記主断熱パネル１は、図３に示すように、取り付け状態で外方に向ける外向きパネル面３側のパネル外周に沿って段差部５を設けて、パネル厚さＴ１がパネル中央部の厚さＴ２よりも薄い外周断熱部６を全周に亘って形成し、被断熱面Ａ側に向けて取り付ける取り付け面４には、軟質樹脂層７を全面に亘って設けてある。
【００１６】
そして、主断熱パネル１の複数を、段差部５どうしが目地部８を挟んで互いに対向するように並べて、被断熱面Ａ側に取り付け、図４に示すように、目地部８を覆う略一定厚さの帯板状の目地断熱パネル９を、その目地部８を挟む両側の段差部５に亘って入り込むように設けて、主断熱パネル１と目地断熱パネル９とに亘って略面一の外面を形成してある。
【００１７】
前記主断熱パネル１及び目地断熱パネル９は、図３，図４に示すように、外部と連通する空隙を備えた板状に成形してある板状コア部１０を気密性フィルム１１で覆ってあると共に、その気密性フィルム１１の内側を真空に近い減圧状態で密封して板状に形成してある。
【００１８】
前記板状コア部１０は、シリカ粉末やガラスウールなどの無機系材料で構成してあり、気密性フィルム１１は、アルミ箔若しくはアルミ材に、ポリエチレンテレフタレート（ＰＥＴ）や ポリエチレン（ＰＥ），塩化ビニル樹脂（ＰＶＣ）などのプラスチックフィルムを積層して構成してある。
【００１９】
前記段差部５は、図３に示すように、板状コア部１０を、取り付け面４側における外周側の厚さが、全周に亘って略一定幅で、中央部における厚さの略半分になるように成形しておくことによって形成してある。
【００２０】
前記主断熱パネル１も目地断熱パネル９も、気密性フィルム１１で作成してある袋内に板状コア部１０を入れて、真空チャンバー内で脱気処理を施し、袋内部を真空状態に減圧して袋の口を圧着することにより製作してあり、気密性フィルム１１どうしが上下に重なって密着している重なり部１２が、主断熱パネル１は、図３に示すように、取り付け面側の外周部に沿って、また、目地断熱パネル９は、図４に示すように、一側面側の外周部に沿って、パネル横側方に向けて鍔状に突出するように形成されている。
【００２１】
このため、本発明による断熱構造では、図２に示すように、互いに隣り合う主断熱パネル１のうちの一方の主断熱パネル１（１ａ）の重なり部１２を折り曲げて、他方の主断熱パネル１（１ｂ）の重なり部１８に重ねて、また、目地断熱パネル９の重なり部１８を主断熱パネル１の外向きパネル面３に重ねて組み付けてある。
【００２２】
前記軟質樹脂層７は、軟質プラスチックフォーム製のシート材を取り付け面４に接着して設けてあり、例えば、超低温の断熱用にはメラミンフォーム製のシート材を接着し、低温〜常温付近の断熱用には軟質ウレタンフォーム製のシート材を接着するのが望ましい。
【００２３】
〔第２実施形態〕
図５は主断熱パネル１の別実施形態を示し、横断面形状がＶ字状の複数の溝を予めプレス成形で一側面側に互いに略平行に形成してある板状コア部１０を使用して、脱気処理に伴って気密性フィルム１１が板状コア部１０に亘ってその溝に凹入している、互いに略平行な複数の溝部１３を取り付け面４側に形成してある。
【００２４】
図６は、上記主断熱パネル１の複数を、パネル端面どうしが互いに対向するように並べて、軟質樹脂層７を介して被断熱面Ａ側に取り付けてある本発明による断熱構造の別実施形態を示し、被断熱面Ａの曲面形状に沿うように主断熱パネル１を湾曲変形させて、被断熱面Ａ側に取り付けてある。
その他の構成は第１実施形態と同様である。
【００２５】
〔第３実施形態〕
図７は、矩形平板状の断熱パネル２の複数を、パネル端面どうしが互いに対向するように並べて、軟質樹脂層７を介して略扁平な被断熱面Ａ側に取り付けてある本発明による断熱構造の別実施形態を示す。
【００２６】
前記断熱パネル２は、図８に示すように、互いに平行な一組の側辺部に沿って一方のパネル面３，４側に段差部５を設けて、パネル厚さＴ１がパネル中央部の厚さＴ２よりも薄い外周断熱部６を一組の側辺部に沿って形成してある。
【００２７】
そして、段差部５を、一方の側辺部においては外向きパネル面３側に形成し、また、他方の側辺部においては取り付け面４側に形成して、隣り合う断熱パネル２の段差部５どうしが互いに入り込むように上下に重ねて、被断熱面Ａに取り付けてある。
その他の構成は第１実施形態と同様である。
【００２８】
〔第４実施形態〕
図９は断熱パネル２の別実施形態を示し、横断面形状がＶ字状の複数の溝を予めプレス成形で一側面側に互いに略平行に形成してある板状コア部１０を使用して、脱気処理に伴って気密性フィルム１１が板状コア部１０に亘ってその溝に凹入している、互いに略平行な複数の溝部１３を取り付け面４側に形成してある。
【００２９】
図１０は、上記断熱パネル２の複数を、パネル端面どうしが互いに対向するように並べて、被断熱面Ａ側に取り付けてある本発明による断熱構造の別実施形態を示し、被断熱面Ａの曲面形状に沿うように断熱パネル２を湾曲変形させて、軟質樹脂層７を介して被断熱面Ａ側に取り付けてある。
その他の構成は第３実施形態と同様である。
【００３０】
〔第５実施形態〕
図１１は、円筒状配管Ｂの外周面を断熱してある本発明による断熱構造の別実施形態を示し、平面視で矩形の円弧板状の主断熱パネル１の複数を、パネル端面どうしが互いに対向するように管周方向と管長手方向とに並べて、軟質樹脂層７を介して配管Ｂの外周面（被断熱面）Ａに取り付け、平面視で矩形の円弧板状の目地断熱パネル９を、目地部８を挟む両側の段差部５に亘って入り込むように設けて、主断熱パネル１と目地断熱パネル９とに亘って略面一の外面を形成してある。
【００３１】
その他の構成は、前述のように主断熱パネル１と目地断熱パネル９とを円弧板状に形成してあること以外、第１実施形態と同様である。
【００３２】
〔第６実施形態〕
図１２は、円筒状配管Ｂの外周面を断熱してある本発明による断熱構造の別実施形態を示し、平面視で矩形の円弧板状の断熱パネル２の複数を、パネル端面どうしが互いに対向するように並べて、配管Ｂの外周面（被断熱面）Ａに取り付けてある。
【００３３】
前記断熱パネル２は、図１３に示すように、管長手方向に沿って互いに平行な一組の側辺部に沿って段差部５を設けて、パネル厚さＴ１がパネル中央部の厚さＴ２よりも薄い外周断熱部６を一組の側辺部に沿って形成してある。
【００３４】
そして、段差部５を、一方の側辺部においては外向きパネル面３側に形成し、また、他方の側辺部においては取り付け面４側に形成して、管周方向で隣り合う隣り合う断熱パネル２の段差部５どうしが互いに入り込むように上下に重ねて、軟質樹脂層７を介して被断熱面Ａに取り付けてある。
その他の構成は第１実施形態と同様である。
【００３５】
〔その他の実施形態〕
１．本発明による断熱構造に使用する断熱パネルは、アルミ箔とプラスチックメッシュとを交互に積層して構成してあるコア部を減圧状態で密封してあっても良い。
２．本発明による断熱構造は、外周縁側ほど低くなる複数段の段差部をパネル外周に沿って設けてある断熱パネルを使用しても良い。
３．本発明による断熱構造は、パネル両面に段差部を設けてある断熱パネルを使用して、目地用の断熱パネルをパネル両面において段差部に各別に入り込むように設けてあっても良い。
４．本発明による断熱構造は、断熱パネルとして、パネル外周に沿って一方のパネル面側にのみ段差部を設けて、外周断熱部を形成してある断熱パネルを使用して、その断熱パネルの複数を、段差部どうしが互いに入り込むように重ねて、被断熱面に取り付けてあっても良い。
【図面の簡単な説明】
【００３６】
【図１】断熱構造を示す一部切欠き斜視図
【図２】断熱構造を示す断面図
【図３】（イ）主断熱パネルの平面図  （ロ）主断熱パネルの断面図
【図４】（イ）目地断熱パネルの平面図  （ロ）目地断熱パネルの断面図
【図５】第２実施形態の主断熱パネルを示す断面図
【図６】第２実施形態の断熱構造を示す断面図
【図７】第３実施形態の断熱構造を示す断面図
【図８】（イ）断熱パネルの平面図  （ロ）断熱パネルの断面図
【図９】第４実施形態の断熱パネルを示す断面図
【図１０】第４実施形態の断熱構造を示す断面図
【図１１】第５実施形態の断熱構造を示す分解斜視図
【図１２】第６実施形態の断熱構造を示す断面図
【図１３】断熱パネルの断面図
【符号の説明】
【００３７】
１    断熱パネル
２    断熱パネル
３    パネル面
４    パネル面（取り付け面）
５    段差部
６    外周断熱部
７    軟質樹脂層
８    目地部
９    目地用の断熱パネル
１０  コア部
１１  気密性フィルム
１３  溝部
Ａ    被断熱面
Ｔ１  厚さ
【図１】
2007032066.tif 000003
【図２】
2007032066.tif 000004
【図３】
2007032066.tif 000005
【図４】
2007032066.tif 000006
【図５】
2007032066.tif 000007
【図６】
2007032066.tif 000008
【図７】
2007032066.tif 000009
【図８】
2007032066.tif 000010
【図９】
2007032066.tif 000011
【図１０】
2007032066.tif 000012
【図１１】
2007032066.tif 000013
【図１２】
2007032066.tif 000014
【図１３】
2007032066.tif 000015